(57)【要約】【課題】  巻取りリールの回転性能および回転バランスを損なわず、磁気記録テープドライブのテープカートリッジの装着および取り外しを繰り返し良好に行えること。【解決手段】  磁気記録テープが巻き付けられるハブ７１と、ハブ７１の上側に取付けられる上側フランジ７２と、上側フランジ７２と平行にハブ７１の下側に取付けられる下側フランジ７３により構成された巻取りリール７０が、磁気記録テープドライブ５０に回転自在に取付けられ、磁気記録テープドライブ５０に設けられたフック部材５２を巻取りリール７０に備えられた係合部７４に係合させることにより、巻取りリール７０の回転を阻止するよう構成される。【選択図】      図３
2006099883.tif 000002
【特許請求の範囲】
【請求項１】
テープカートリッジ内に収納された磁気記録テープを巻き取るための単一の巻取りリールを備えた磁気記録テープドライブにおいて、
前記巻取りリールは、前記磁気記録テープが巻き付けられるハブと、前記ハブの上側に取付られる上側フランジと、前記上側フランジと平行に前記ハブの下側に取付られる下側フランジにより構成され、
前記巻取りリールは、前記磁気記録テープドライブに回転自在に取付けられ、
前記磁気記録テープドライブには、前記巻取りリールの回転を阻止する手段としてフック部材が設けられ、
前記上側フランジまたは下側フランジに前記フック部材と係合する係合部が備えられ、
前記係合部は、前記上側フランジまたは下側フランジの一部を切欠いて形成されたことを特徴とする磁気記録テープドライブ。
【請求項２】
前記係合部は、前記上側フランジまたは下側フランジの一部を切欠いて、且つ板厚方向に閉じられた溝形状に構成されていることを特徴とする請求項１に記載の磁気記録テープドライブ。
【請求項３】
前記係合部は、前記上側フランジまたは下側フランジの回転外周部近傍の回転中心を挟んだ両端部に複数で均等形状にて構成されていることを特徴とする請求項１または請求項２に記載の磁気記録テープドライブ。
【請求項４】
前記上側フランジまたは下側フランジは、略長方形板状にて構成されていることを特徴とする請求項３に記載の磁気記録テープドライブ。
【発明の詳細な説明】
【技術分野】
【０００１】
本発明はＤＬＴ（Digital Linear Tape）やＬＴＯ（Linear Tape Open）に代表されるリニアテープストレージシステムのような磁気記録テープドライブに関し、特に、駆動される磁気記録テープを巻き取るためのリールを有する磁気記録テープドライブに関する。
【背景技術】
【０００２】
一般に、この種の磁気記録テープドライブで扱う磁気記録テープには、巻取りリールを回転可能に内蔵したケースに収容されたものと、このようなケースは備えていないものとがある。後者の場合、巻取りリールは、磁気記録テープドライブの一部品として、このドライブに具備されている。
【０００３】
この種のドライブとしては、例えば、ＤＬＴ（Digital Linear Tape）やＬＴＯ（Linear Tape Open）などのリニアテープストレージドライブがある。これらテープドライブは、コンピュータシステムのバックアップ用として開発されたものであり、テイクアップリールと呼ばれる巻取りリールを備え、単一のリール（サプライリール）を持つテープカートリッジが装着される（例えば特許文献１参照）。必要に応じ、テープカートリッジのサプライリールから磁気記録テープ媒体が引き出され、磁気ヘッドを介して、回転する巻取りリールに巻き取られる。
【０００４】
この種の磁気記録テープドライブの一例を図６に示す。この磁気記録テープドライブ１０はＤＬＴテープドライブであり、このＤＬＴテープドライブは、単一のリールを使用したＤＬＴテープカートリッジを用いている。この設計は、テープカートリッジ（図示せず）内に配置された供給リールと、磁気記録テープドライブ１０内に配置された巻取りリール３０とを含む。
【０００５】
図９を参照して、テープカートリッジ内の磁気記録テープ媒体は、その一端にテープカートリッジリーダー２０１が接続されている。このテープカートリッジリーダー２０１は、自身の遠位端上に卵型のアパチャ２０２を含む、頑丈かつ柔軟性を有するプラスチックストリップである。巻取りリーダー２０３は、巻取りリール３０に接続する、類似のプラスチックストリップであり、テープカートリッジリーダー２０１上の卵型アパチャ２０２と共に留められてバックル２００を形成するように設計されたステム２０４およびタブ２０５を含む（例えば特許文献２参照）。
【０００６】
テープカートリッジが磁気記録テープドライブ１０に装着されると、巻取りリーダー２０３およびテープカートリッジリーダー２０１が留められ、磁気記録テープ媒体は、記録位置または再生位置まで巻き取られる。
【０００７】
また、この種の磁気記録テープドライブ１０における巻取りリール３０の一例を、図８に示す。図８を参照して、巻取りリール３０は、円柱状のハブ３１と、ハブ３１の回転軸方向両端に取付けられた対の上側フランジ３２と下側フランジ３３を有している。尚、上側フランジ３２と下側フランジ３３は、図示のごとく略長方形板状を呈している（例えば特許文献２参照）。
【０００８】
また、磁気記録テープドライブ１０からテープカートリッジを取り外す際、テープカートリッジ内に磁気記録テープ媒体が巻戻された後に、前記巻取りリーダー２０３とテープカートリッジリーダー２０１が留められていた状態から外れる状態となる。その際、前記巻取りリール３０の回転を止めておく必要がある。そのために前記下側フランジ３３の下側に一体成形されているポスト３４は、テープカートリッジをテープドライブ１０から取り外す際に、前記巻取りリール３０に対する回転の止め具となる。図６及び図１０を参照して、キャッチ１１は、フック部材１２及びフィンガー状突起１４を含み、前記フック１２は、テープカートリッジリーダー２０１および巻取りリーダー２０３が留められている状態から外れるときに前記キャッチ１１が「Ａ」の方向に回転し、ポスト３４と係合して、巻取りリール３０がこれ以上回転することを阻止するものである。尚、この際、図６に示されていないテープカートリッジリーダー２０１および巻取りリーダー２０３が留められているバックル２００の位置は前記キャッチ１１近傍に停止しており、さらに前記巻取りリーダー２０３のバックル２００を形成する側の反対側端部と前記巻取りリール３０とが接続されているため、前記キャッチ１１が「Ａ」の方向に回転することにより、キャッチ１１に設けられたフィンガー状突起１４が巻取りリーダー２０３に形成された位置決め孔２０７に係合すると同時に、前記キャッチ１１に設けられたフック部材１２が前記ポスト３４に係合し、前記巻取りリール３０が停止するように構成されている。その後、図１０に示されるようにテープカートリッジリーダー２０１と巻取りリーダー２０３が留められていた状態から外れた状態となり、テープカートリッジリーダー２０１がテープカートリッジ内に巻取られた後に磁気記録テープドライブ１０からテープカートリッジが取り外される（例えば特許文献３参照）。
【特許文献１】特開平９−１９８６３９号公報
【特許文献２】特開２００２−８３３９号公報
【特許文献３】特開平１１−８６３８１号公報
【発明の開示】
【発明が解決しようとする課題】
【０００９】
このような構造を有する従来の磁気記録テープドライブ１０では、図８に示されているように巻取りリール３０の回転を阻止する際にフック部材１２と係合するポスト３４が、巻取りリール３０の回転時の外周直径に対し小径であるため、フック部材１２とポスト３４との係合が繰り返されることにより、ポスト３４が欠損してしまい、巻取りリール３０の回転を阻止することができなくなり、テープカートリッジリーダー２０１と巻取りリーダー２０３とを留めことおよび留めの解除が安定してできなくなり、磁気記録テープドライブ１０に対するテープカートリッジの装着および取り外しが安定してできなくなってしまうという問題点がある。また、ポスト３４を強固にするためその径を大きなものにすると、巻取りリール３０の重量を重くしてしまい、更に巻取りリール３０の回転軸を中心とした回転外周方向の重量バランスを悪化させ、回転性能および回転バランスを損なうという新たな問題点が発生してしまう。
【００１０】
したがって、本発明の目的は、巻取りリールの回転性能および回転バランスを損なわず、テープカートリッジの装着および取り外しを繰り返し良好に行える磁気記録テープドライブを提供することにある。
【課題を解決するための手段】
【００１１】
本発明によれば、テープカートリッジ内に収納された磁気記録テープを巻き取るための単一の巻取りリール７０を備えた磁気記録テープドライブ５０において、前記巻取りリール７０は、前記磁気記録テープが巻き付けられるハブ７１と、前記ハブ７１の上側に取付られる上側フランジ７２と、前記上側フランジ７２と平行に前記ハブ７１の下側に取付られる下側フランジ７３により構成され、前記巻取りリール７０は、前記磁気記録テープドライブ５０に回転自在に取付けられ、前記磁気記録テープドライブ５０には、前記巻取りリール７０の回転を阻止する手段としてフック部材５２が設けられ、前記上側フランジ７２または下側フランジ７３に前記フック部材５２と係合する係合部７４が備えられ、前記係合部７４は、前記上側フランジ７２または下側フランジ７３の一部を切欠いて形成されたことを特徴とする磁気記録テープドライブが得られる。
【００１２】
上記磁気記録テープドライブ５０において、前記係合部７４は、前記上側フランジ７２または下側フランジ７３の一部を切欠いて、且つ板厚方向に閉じられた溝形状に構成されていることが望ましい。また、前記係合部７４は、前記上側フランジ７２または下側フランジ７３の回転外周部近傍の回転中心を挟んだ両端部に複数で均等形状にて構成されていることが望ましい。また、前記上側フランジ７２または下側フランジ７３は、略長方形板状にて構成されていることが望ましい。
【００１３】
尚、上記参照符号は、理解を容易にするために付したものであり、一例に過ぎず、これらに限定されないのは勿論である。
【発明の効果】
【００１４】
請求項１記載の発明は、係合部が上側フランジまたは下側フランジの一部を切欠いて形成されており、係合部にフック部材が係合された係合部の側面部にフック部材が当接された場合でも、上側フランジまたは下側フランジの板材が剛性上十分な面積と板厚が確保されているため、係合部を従来例の係合部である小径のポストに比べ強固な構造にすることができる。
【００１５】
請求項２記載の発明は、係合部が上側フランジまたは下側フランジの一部を切欠いて、且つ、板厚方向に閉じられた溝形状に構成されるため、請求項１記載の発明の効果に加えて、さらに係合部を強固な構造にすることができる。
【００１６】
請求項３記載の発明は、前記係合部が前記上側フランジまたは下側フランジの回転外周部近傍の回転中心を挟んだ両端部に複数で均等形状にて構成されているため、巻取りリールが回転軸を中心として回転外周方向にて重量バランスが均等になり、請求項１または２記載の発明の効果に加えて、巻取りリールの回転バランスを向上することができる。
【００１７】
請求項４記載の発明は、前記上側フランジまたは下側フランジが略長方形板状にて構成されているため、請求項３記載の発明の効果に加えて、巻取りリールの重量を軽量化することができ、巻取りリールの回転性能を向上することができる。
【発明を実施するための最良の形態】
【００１８】
以下、本発明の一実施の形態に係る磁気記録テープドライブ５０について説明する。
【実施例】
【００１９】
図５は磁気記録テープドライブ５０に回転自在に搭載される巻取りリール７０の斜視図である。本実施の形態では、係合部７４は、前記巻取りリール７０の上側フランジ７２の回転外周部近傍の回転中心を挟んだ両端部に、前記上側フランジ７２の上面部の一部を切欠き、且つ前記上側フランジ７２の下面部を残すように板厚方向に閉じられた溝形状（凹状）にて形成されている。
【００２０】
図１及び図２は磁気記録テープドライブ５０におけるフック部材５２と係合部７４の係合前の斜視図及び平面図である。尚、この図１及び図２は磁気記録テープドライブ５０からテープカートリッジ（図示せず）を取り外す前のものであり、この際、巻取りリール７０の停止に関する構成は、前記した［０００８］の背景技術と同様で、テープカートリッジリーダー（図示せず）および巻取りリーダー５５が留められているバックルの位置がキャッチ５１近傍に停止しており、さらに巻取りリーダー５５のバックルを形成する側の反対側端部と前記巻取りリール７０とが接続されているため、前記キャッチ５１が「Ａ」の方向に回転することにより、キャッチ５１に設けられたフィンガー状突起５３が巻取りリーダー５５に形成された位置決め孔（図示せず）に係合すると同時に、前記キャッチ５１に設けられたフック部材５２が係合部７４に係合し、前記巻取りリール７０が停止するように構成されている。
【００２１】
図３及び図４は磁気記録テープドライブ５０におけるフック部材５２と係合部７４の係合後の斜視図である。この際、図1に示すキャッチ５１が「Ａ」の方向に回転し、キャッチ５１に設けられたフィンガー状突起５３が巻取りリーダー５５に形成された位置決め孔（図示せず）に係合すると同時に、フック部材５２が溝形状にて構成された係合部７４の側壁部７４ａに当接することにより、フック部材５２が係合部７４に係合され、巻取りリール７０が巻取りリーダー５５に引っ張られて反時計方向にこれ以上回転することを阻止するものである。この後、
テープカートリッジリーダーと巻取りリーダー５５が留められていた状態から外れた状態となり、テープカートリッジリーダーがテープカートリッジ内に巻取られた後に磁気記録テープドライブ５０からテープカートリッジが取り出され、再度、磁気記録テープドライブ５０にテープカートリッジが装着されるまで巻取りリール７０の回転阻止は維持される。
【００２２】
以上、本発明についてその好ましい実施の形態によって説明してきたが、本発明の精神を逸脱しない範囲内で、種々の変形が当業者によって可能であるのは明らかである。
【図面の簡単な説明】
【００２３】
【図１】本発明の磁気記録テープドライブにおけるフック部材と係合部の係合前の斜視図である。
【図２】本発明の磁気記録テープドライブにおけるフック部材と係合部の係合前の平面図である。
【図３】本発明の磁気記録テープドライブにおけるフック部材と係合部の係合後の斜視図である。
【図４】本発明の磁気記録テープドライブにおけるフック部材と係合部の係合後の平面図である。
【図５】本発明の巻取りリールの斜視図である。
【図６】従来技術の磁気記録テープドライブの斜視図である。
【図７】従来技術のテープカートリッジリーダーと巻取りリーダーとが巻取られた巻取りリールの斜視図である。
【図８】従来技術の巻取りリールの下部斜視図である。
【図９】従来技術のテープカートリッジリーダーと巻取りリーダーとの間のバックル接続部である。
【図１０】従来技術の巻取りリーダーとそれに係合されるフィンガー状突起とを示す斜視図である。
【符号の説明】
【００２４】
５０    磁気記録テープドライブ
５１    キャッチ
５２    フック部材
５３    フィンガー状突起
５５    巻取りリーダー
７０    巻取りリール
７１    ハブ
７２    上側フランジ
７３    下側フランジ
７４    係合部
７４ａ  側壁部      
【図１】
2006099883.tif 000003
【図２】
2006099883.tif 000004
【図３】
2006099883.tif 000005
【図４】
2006099883.tif 000006
【図５】
2006099883.tif 000007
【図６】
2006099883.tif 000008
【図７】
2006099883.tif 000009
【図８】
2006099883.tif 000010
【図９】
2006099883.tif 000011
【図１０】
2006099883.tif 000012